(57)【要約】  一部の実施例では、一マルチキャスト接続識別子のみが、ゾーン毎ＷｉＭＡＸネットワークにおいて使用される。ＷｉＭＡＸマルチキャストにおいて所望のチャネルをどのようにして位置特定するかについての正しい情報を得るよう移動局が基地局に問い合わせる必要はないので、このことは電力節減をもたらし得る。その代わりに、移動局は、送信しなくてよいが、情報の受信のみを行う低電力消費モードに維持することができる。これは、移動局が、どのチャネルが利用可能であるかについて必要な情報全てを有し、単に、論理媒体チャネル識別子を使用して、適切なチャネルに同調して、正確なチャネルを識別するために基地局にメッセージを送信することなく、所望のコンテンツを受信することが可能である。
2010524401.tif 000002
【特許請求の範囲】
【請求項１】
方法であって、
広帯域無線アクセス・ネットワークにおける移動局が、前記移動局がアイドル・モードにある間に複数のコンテンツ・チャネルのうちの特定の１つにアクセスすることを可能にする工程
を含む方法。
【請求項２】
請求項１記載の方法であって、マルチキャスト・ブロードキャスト・サービス・ゾーン毎に移動局に供給されるマルチキャスト接続識別子を１つのみ割り当てる工程を含む方法。
【請求項３】
請求項２記載の方法であって、アクセス・ネットワークからのマルチキャスト接続識別子を割り当てる工程を含む方法。
【請求項４】
請求項３記載の方法であって、アクセス・サービス・ネットワークからの前記識別子を割り当てる工程を含む方法。
【請求項５】
請求項４記載の方法であって、マルチキャスト・ブロードキャスト・サービス・コントローラを使用して前記識別子を割り当てる工程を含む方法。
【請求項６】
請求項２記載の方法であって、コア・ネットワークからのマルチキャスト接続識別子を割り当てる工程を含む方法。
【請求項７】
請求項６記載の方法であって、コア・サービス・ネットワークからのマルチキャスト接続識別子を割り当てる工程を含む方法。
【請求項８】
請求項７記載の方法であって、マルチキャスト・ブロードキャスト・サービス・サーバを使用してマルチキャスト接続識別子を割り当てる工程を含む方法。
【請求項９】
請求項２記載の方法であって、コア・ネットワークからの論理チャネル識別子を割り当てる工程を含む方法。
【請求項１０】
請求項２記載の方法であって、論理チャネル識別子としてコンテンツ識別子サービス・タイプ長タイプ値を使用する工程を含む方法。
【請求項１１】
請求項２記載の方法であって、コア・サービス・ネットワークにおけるプロキシ・インターネット群管理プロトコル・クライアントを使用して移動局がマルチキャスト・セッションにサインアップすることを可能にする工程を含む方法。
【請求項１２】
広帯域無線アクセス・ネットワークであって、
マルチキャスト・ブロードキャスト・サービス・コントローラと、
アクセス・ネットワーク・ゲートウェイとを備え、
前記ネットワークは、伝送を行うことなく移動局が複数のチャネルのうちの１つを選択することを可能にするネットワーク。
【請求項１３】
請求項１２記載のネットワークであって、前記コントローラは、マルチキャスト・ブロードキャスト・サービス・ゾーン毎に移動局に１つのマルチキャスト接続識別子のみを割り当てるネットワーク。
【請求項１４】
請求項１２記載のネットワークであって、前記コントローラは、前記移動局がアイドル・モードにある間にチャネルを前記移動局が選択することを可能にするネットワーク。
【請求項１５】
請求項１３記載のネットワークであって、前記ネットワークはアクセス・サービス・ネットワークであるネットワーク。
【請求項１６】
コア・ネットワークであって、
マルチキャスト・ブロードキャスト・サービス・サーバと、
認証、認可、アカウンティング・サーバとを備え、
前記ネットワークは、論理チャネル識別子を割り当てるネットワーク。
【請求項１７】
請求項１６記載のネットワークであって、前記ネットワークはマルチキャスト接続識別子を割り当てるネットワーク。
【請求項１８】
請求項１６記載のネットワークであって、前記ネットワークはコア・サービス・ネットワークであるネットワーク。
【請求項１９】
請求項１６記載のネットワークであって、移動局がマルチキャスト・セッションにサインアップすることを可能にするためのプロキシ・インターネット群管理プロトコル・クライアントを含むネットワーク。
【請求項２０】
システムであって、
認証、認可、アカウンティング・サーバを含むコア・ネットワークと、
前記コア・ネットワークに結合されたアクセス・ネットワークであって、マルチキャスト・ブロードキャスト・サービス・コントローラを含むアクセス・ネットワークとを備え、
前記システムは、伝送を行う必要なく移動局がチャネルを選択することを可能にするシステム。
【請求項２１】
請求項２０記載のシステムであって、前記コントローラは、マルチキャスト・ブロードキャスト・サービス・ゾーン毎に移動局に１つのマルチキャスト接続識別子のみを割り当てるシステム。
【請求項２２】
請求項２０記載のシステムであって、前記コントローラは、前記移動局がアイドル・モードにある間にチャネルを前記移動局が選択することを可能にするシステム。
【請求項２３】
請求項２１記載のシステムであって、前記アクセス・ネットワークはアクセス・サービス・ネットワークであるシステム。
【請求項２４】
請求項２０記載のシステムであって、前記アクセス・ネットワークはマルチキャスト接続識別子を割り当てるシステム。
【請求項２５】
請求項２０記載のシステムであって、前記コア・ネットワークはコア・サービス・ネットワークであるシステム。
【請求項２６】
請求項２０記載のシステムであって、前記コア・ネットワークは、移動局がマルチキャスト・セッションにサインアップすることを可能にするためのインターネット群管理プロトコルを含むシステム。
【発明の詳細な説明】
【技術分野】
【０００１】
本出願は一般に、広帯域無線アクセス・ネットワークに関する。
【背景技術】
【０００２】
広帯域無線アクセス・ネットワークは、テレビジョン放送及びインターネットにより、現在提供されているプログラミング・コンテンツを伝送するために使用することができる。前述の配信のための標準が提案されている。ＩＥＥＥ  ８０２．１６  ＩＥＥＥ  Ｓｔａｎｄａｒｄｓ  ｆｏｒ  Ｉｎｆｏｒｍａｔｉｏｎ  Ｔｅｃｈｎｏｌｏｇｙ  −  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  −  Ｍｅｔｒｏｐｏｌｉｔａｎ  Ａｒｅａ  Ｎｅｔｗｏｒｋｓ  −  Ｓｐｅｃｉｆｉｃ  Ｒｅｑｕｉｒｅｍｅｎｔｓ，  Ｐａｒｔ  １６，  Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ，  ＩＥＥＥ  Ｎｅｗ  Ｙｏｒｋ，  Ｎｅｗ  Ｙｏｒｋ，  Ｍａｙ，  ２００５  （「ＷｉＭＡＸ標準」）を参照されたい。
【発明の概要】
【発明が解決しようとする課題】
【０００３】
一般にＷｉＭＡＸ（ワイマックス）と呼ばれる固定広帯域無線アクセス・システムでは、基地局がコンテンツを１つ又は複数の移動局に供給することができる。移動局は、エリア間で移動し得、よって、各エリアにおける別々の基地局と無線通信することができる。
【０００４】
所望のコンテンツを受信するために、特定のチャネルを識別するシステムが必要である。通常、ＷｉＭＡＸは多くのコンテンツ・チャネルを提供することができる。一識別子は、媒体アクセス制御マルチキャスト接続識別子又はＭＣＩＤと呼ばれる。ＭＣＩＤは、基地局上の媒体アクセス制御層との接続を識別して、移動局が特定のコンテンツを受信することを可能にする。従来のシステムにおいて利用可能な接続識別子の数は、前述のデータに極めて大きなフィールドを使用することによって消費することができる帯域幅の量が理由で、多少限定的である。通常、上述のＷｉＭＡＸ標準では、ユニキャスト接続識別子及びＭＣＩＤを含む６５５３６個の接続識別子を提供するために１６ビットが利用可能である。
【０００５】
システムのスケーラビリティを増加させるために、論理チャネル識別子を利用することもできる。よって、２５６個のチャネルなどのいくつかの別々のチャネルを論理チャネル識別子によって識別することができる。
【課題を解決するための手段】
【０００６】
よって、通常のＷｉＭＡＸ配信システムでは、ビデオ・プログラム及びインターネットのようなコンテンツの形式のコンテンツは、所望のコンテンツを受信し続けながらエリア間を移動する移動加入者に向けて電波にのせて配信することができる。移動局は、受信したいコンテンツがどれであるかを識別するために種々の識別子を使用することができる。
【図面の簡単な説明】
【０００７】
【図１】本発明の特定の実施例による広帯域無線アクセス・ネットワークを示す図である。
【図２】本発明の一実施例による、一シナリオのコール・フローである。
【図３】本発明の一実施例による、別のシナリオのコール・フローである。
【発明を実施するための形態】
【０００８】
コンテンツ・プロバイダから移動局へコンテンツをマルチキャストするために、単一のマルチキャスト接続識別子（ＭＣＩＤ）をマルチキャスト・ブロードキャスト・サービス・ゾーン毎に使用することができる。このコンテンツ識別子は、コンテンツを受信するようアクセスすることができる媒体アクセス制御（ＭＡＣ）層接続を識別することができる。しかし、広い範囲の種々の提供コンテンツから選択する機能は、論理媒体チャネル識別子を使用することによって容易にすることができる。一実施例では、論理媒体チャネル識別子は、一実施例におけるコア・サービス・ネットワーク（ＣＳＮ）などのコア・ネットワークによって供給することができる一方、単一のマルチキャスト接続識別子又はＭＣＩＤは一実施例においてアクセス・サービス・ネットワーク（ＡＳＮ）などのアクセス・ネットワークによって供給することができる。このようにして、論理媒体チャネル識別子は、どのチャネルが利用可能であるかが分かっているソースから供給される一方、接続識別子は、実際のエア・インタフェースにできる限り近いソースから供給される。この割り当て手法は、エア・インタフェース上のシグナリング・トラフィックの量を削減することができる。更に、ゾーン毎に一マルチキャスト接続識別子のみを有することにより、一部の実施例では、移動局の電力消費を削減することができる。アイドル・モードでブロードキャスト／マルチキャスト伝送にリッスンしている移動局が、正しい接続識別子を得る旨のクエリを送信する必要がもうなくなるからである。当初、論理媒体チャネル識別子の形式でのマルチキャスト接続識別子は移動局に供給することができ、その場合、移動局は、接続識別子についての情報に対する要求でエア・インタフェースを擾乱しなくてよい。移動局は、情報の受信のみを行い（、送信しない）アイドル・モードと呼ばれる低電力消費モードに入り得る。移動局は既に、論理チャネル識別子全てを有するので、マルチキャスト接続識別子の場合のように、識別子を得るために基地局に連絡するためにアイドル・モードを出なくてよい。よって、移動局は、適切な識別子に対するクエリを送信する必要なしで、より低い電力消費モードにおいてそれ自体を維持することができる。  
【実施例】
【０００９】
図１は、本発明の一部の実施例による広帯域無線アクセス・システムを示す図である。無線アクセス・ネットワーク１００は、コア・サービス・ネットワーク（ＣＳＮ）１１０などのコア・ネットワーク、及びアクセス・サービス・ネットワーク（ＡＳＮ）１２０などのアクセス・ネットワークを備える。ＡＳＮは、ＷｉＭＡＸ加入者に対して無線アクセスを提供するために必要な完全な組のネットワーク機能を含み、移動局（ＭＳ）が属するネットワークを構成し、基地局（ＢＳ）及びアクセス・ルータ（図示せず）を含む。ＣＳＮは、インターネットへの接続性を提供し、ポリシー機能又は認証、認可、及びアカウンティング・サービスを提供する。
【００１０】
とりわけ、無線アクセス・ネットワーク１００は、１つ又は複数のコンテンツ・サーバ１１２からコンテンツを受信することができ、コンテンツを１つ又は複数の移動局（ＭＳ）１０２に供給することができる。ＡＳＮ１２０は、１つ又は複数のゲートウェイ（ＧＷ）１０８、及びＢＳ１乃至ＢＳ９として示す複数の基地局（ＢＳ）１０４を含み得る。ＣＳＮ１１０は、とりわけ、アクセスに対する要求を扱うことができるポリシー機能（ＰＦ）又は認証認可アカウンティング（ＡＡＡ）（ＰＦ／ＡＡＡ）サーバ１１１を含み得る。ＣＳＮ１１０のＡＡＡサーバ１１１は、移動局１０２がマルチキャスト・ブロードキャスト・サービスを受信することを認可するためのポリシー機能（ＰＦ）を含み得る。
【００１１】
実施例によれば、ゲートウェイ１０８は、マルチキャスト・ブロードキャスト・サービス・コントローラ（ＭＢＳＣ）１１８を含み得る。ＭＢＳＣ１１８は、１つ又は複数のマルチキャスト・ブロードキャスト・サービス（ＭＢＳ）ゾーン１０６を作成することができ、各ＭＢＳゾーン１０６は複数の基地局１０４を含み得る。ＭＢＳＣ１１８は、特定のＭＢＳゾ―ン１０６内の移動局１０２に対する同時マルチキャスト・ダウンリンク伝送のための特定の時間及び周波数パラメータを確立することにより、ＭＢＳゾーン１０６を作成することができる。前述の実施例では、基地局１０４は、ダウンリンク・サブフレームのＭＢＳ領域内で同一コンテンツを同期して送信することを基地局１０４に行わせ、かつ／又は基地局１０４に指示するためのＭＢＳエージェント（ＭＢＳＡ）１１４を含み得る。同一のＭＢＳ領域は、マルチキャスト接続識別子（ＣＩＤ）によって識別されるマルチキャスト・ブロードキャスト・コンテンツを含み得る。ＣＳＮ１１０は、ＭＢＳサーバ及びプロキシの第１のホップ・インターネット群管理プロトコル（ＩＧＭＰ）クライアント１１３も含み得る。Ｉｎｔｅｒｎｅｔ  Ｇｒｏｕｐ  Ｍａｎａｇｅｍｅｎｔ  Ｐｒｏｔｏｃｏｌ，  Ｖｅｒｓｉｏｎ  ３，  Ｎｅｔｗｏｒｋ  Ｗｏｒｋｉｎｇ  Ｇｒｏｕｐ，  Ｒｅｑｕｅｓｔ  ｆｏｒ  Ｃｏｍｍｅｎｔｓ  ３３７６，  Ｏｃｔｏｂｅｒ，  ２００２を参照されたい。
【００１２】
一部の実施例では、ＣＳＮ１１０は、セッション記述プロトコル（ＳＤＰ）プロキシも含み得る。前述の実施例では、移動局１０２は、ＳＤＰのプリミティブを使用してＳＤＰプロキシに連絡し、ＣＳＮ１１０内のマルチキャスト・セッション・ディレクトリの現在のコンテンツをブラウジングすることができるが、本発明の範囲はこの点に限定されない。
【００１３】
一部の実施例では、無線アクセス・ネットワーク１００は、単一周波数ネットワーク（ＳＦＮ）として動作することができる。前述の実施例では、共通のＭＢＳゾーン１０６の基地局１０４は、ダウンリンク・サブフレーム及び／又はアップリンク・サブフレームを時間及び周波数で同期化させ、ＭＢＳゾーン内でハンドオーバ動作を行う必要なしで特定のＭＢＳゾーン１０６の何れかの基地局１０４からマルチキャスト・ブロードキャスト・コンテンツを移動局１０２が受信することを可能にし得る。前述の実施例では、ＭＢＳゾーン１０６の２つ以上の基地局１０４から同時に信号を受信し、それにより、移動局１０２において信号対雑音比（ＳＮＲ）の向上をもたらし得ることにより、ダイバシチ利得を利用することができる。前述の実施例では、マルチキャスト・ブロードキャスト・コンテンツをダウンリンク・サブフレームの同一のＭＢＳ領域内で提供し、それにより、ＭＢＳゾーン１０６の基地局１０４の何れか１つ又は複数からブロードキャスト・コンテンツを移動局１０２が受信することを可能にすることができる。
【００１４】
一部の別の実施例では、ＭＢＳゾーン１０６外の１つ又は複数の非単一周波数ネットワーク（非ＳＦＮ）基地局（図示せず）はマルチキャスト・データを非同期で送信することができるが、本発明の範囲はこの点で限定されない。前述の実施例では、各基地局１０４は無関係に動作し得る。
【００１５】
ＭＢＳＣ１１８は、ＡＳＮ内のスタンドアロン・エンティティであり得る。実施例によれば、ＭＢＳＣ１１８は、制御するＭＢＳゾーン１０６内のデータのブロードキャストの集約、伝送、スケジューリング及び同期化を行うことができる。ＭＢＳＣ１１８は、ＭＢＳゾーンを作成し、ＭＢＳゾーンを削除し、既存のＭＢＳゾーンの特性を修正することもできる。
【００１６】
図１に示すように、ＭＢＳＡ１１４は基地局１０４に常駐している。ＭＢＳＡ１１４は、前述のように移動局１０２に向けてエア・インタフェース３３０を介して、同期化させてＭＢＳコンテンツを送信することができ、管理及び制御の動作においてＭＢＳＣ１１８を支援することができる。
【００１７】
コンテンツ・サーバ１１２は、ブロードキャスト・コンテンツを供給することができ、ＣＳＮ１１０、インターネット・プロトコル（ＩＰ）マルチメディア・サブシステム（ＩＭＳ）ネットワーク３１２及び／又はインターネット３１４に常駐することができる。ブロードキャスト・コンテンツは例えば、音楽及び／又はビデオ・ストリーミングを含み得るが、本発明の範囲はこの点で限定されない。一部の実施例では、コンテンツ・サーバ１１２は、無線アクセス・ネットワーク１００（図１）などの無線アクセス・ネットワーク内の更なるダウンリンク伝送の中心点としての役目を担い得るＭＢＳサーバ及びプロキシＩＧＭＰクライアント１１３にＭＢＳコンテンツを供給することができる。一部の実施例では、ＭＢＳＣ１１８は、ＭＢＳゾーン１０６内のマルチキャスト・ブロードキャスト・コンテンツの時間及び周波数の同期化を確実するようＭＢＳゾーン１０６のＭＢＳＡ１１４と連係することができる。
【００１８】
一部の実施例では、いくつかのコンテンツ・サーバ１１２は、複数のブロードキャスト・チャネルを単一のＭＢＳゾーンに供給することができる。前述の実施例では、ＭＢＳサーバ１１３は、コンテンツをタイムリーに集約し、集約されたコンテンツをＡＳＮゲートウェイ１０８に供給することができる。図１に示すように、ＡＳＮゲートウェイ１０８は、ＡＳＮゲートウェイ３０８などの他のＡＳＮゲートウェイとインタフェースすることができる。
【００１９】
一部の実施例では、ＭＢＳＣは、ＡＳＮ１２０（図１）内でなく、ＣＳＮ１１０内に配置され得る。前述の実施例では、ＣＳＮ１１０内のＭＢＳＣは、全国的なＴＶプログラミングのための大規模の全国的なゾーンなどのより大きなＭＢＳゾーンを制御することができる。このようにして、オペレータ・ネットワークのコア・サービス・ネットワーク部分にＭＢＳＣを有することがより、スケーラブルかつ効率的であり得る。
【００２０】
プロキシＩＧＭＰフレームワーク１１３は、ユーザ装置においてＩＧＭＰを実際に必要とすることなく、ＩＧＭＰの便益全てを提供する。一般に、ＩＧＭＰは、マルチキャスト・セッションにどのようにしてサインアップするかを複数のユーザに伝える。プロキシＩＧＭＰフレームワーク１１３は、固有にＩＧＭＰスタックを有しないデバイスの組を含むデバイスのクラス全てについて機能することが可能である。一部の実施例では、エラー・リンク・リソースは、ＩＧＭＰシグナリングに必要でないことがあり得る。プロキシＩＧＭＰフレームワーク１１３は、あまり変更なく、ＳＦＮ動作モード及び非ＳＦＮ動作モードについて機能する。
【００２１】
マルチＢＳＭＢＳは、ＣＳＮ内のＭＢＳサーバ上に記憶されたリストにより、現在のマルチキャスト・セッションをＭＳがブラウジングすることを可能にする。ＳＦＮの場合、セッション・ディレクトリは、オペレータからの予め構成されたＭＢＳリストを含む。ＭＳは、プロビジョニング段階又はサインオン段階中にＭＢＳサーバ１１３のユニバーサル・リソース識別子（ＵＲＩ）及び／又はＩＰアドレスを知らされ得る。ＭＳは、ＭＢＳサーバにアクセスし、次いでディレクトリ・リストをブラウジングするために、ＨＴＴＰのような単純なインタフェースを使用することができる。ディレクトリ・サーバをブラウジングすると、ＭＳは、現在実行中のマルチキャスト・セッションの何れかに加入したいことがあり得る。ＭＳは、加入したいセッションをＭＢＳサーバに示す。
【００２２】
ＭＳは、媒体アクセス制御メッセージを使用して電源をダウンにするか、又はそのＭＢＳセッションを終結させる旨をＢＳに明示的にシグナリングすることにより、マルチキャスト・セッションを離れることが可能である。ＢＳは、リソースのクリーンアップを開始させることも可能である。あるいは、ＭＳは、ＭＢＳサーバに接続し、特定の他のＭＢＳチャネルへ切り換える旨の選好を示す。ＭＢＳサーバは、次いで、リソースのクリーンアップを開始させることが可能である。
【００２３】
単一ＢＳＭＢＳでは、ＭＳは、ＩＧＭＰ準拠であることは期待されていない。ＣＳＮに位置しているプロキシＩＧＭＰクライアントは、ＭＳに代わってＩＧＭＰクライアントとしてふるまう。マルチキャスト・ソースは、インターネット又はオペレータのネットワークのどこにでもあり得る。ＭＢＳサーバ１１３は、ワイマックスＣＳＮにおけるセッション・ディレクトリとしてふるまう。ＩＰマルチキャスト・シナリオの場合、ＭＢＳサーバは、マルチキャスト・アナウンス・チャネル上のインターネット・マルチキャスト・アナウンスにリッスンし得るか、又はオペレータからの、予め構成されたＭＢＳリストを有し得る。ＭＢＳサーバは、インターネット又はオペレータのネットワークにおける現在実行中のマルチキャスト・セッション情報、そのオーナ、その持続時間、その開始時間等についての情報をキャッシングする。
【００２４】
図１を参照すれば、一部の実施例では、無線アクセス・ネットワーク１００は、そのＳＦＮ動作の一部としてＩＰマルチキャスト手法を使用することができる。前述の実施例では、ＭＢＳＣ１１８は、ＩＰマルチキャスト群の一部であり得、ＩＰマルチキャスト群からブロードキャスト・コンテンツを受信し得る。
【００２５】
一部の実施例では、ＩＰマルチキャストはＭＢＳゾーン１０６内で使用することができる。前述の実施例では、ＭＢＳゾーン１０６毎に、ＭＢＳＣ１１８は、マルチキャスト・ブロードキャスト・コンテンツを伝送するための局所ＩＰマルチキャスト群をセットアップすることができる。前述の実施例では、ＭＢＳＣ１１８は、ＭＢＳゾーン１０６のマルチキャスト・アドレスを、ＭＢＳＡ１１４に、後述するＭＢＳプリミティブを使用して供給することができる。前述のＭＢＳプリミティブは、要求（ＲＥＱ）、応答（ＲＳＰ）及び確認（ＣＮＦ）を含み得る。
【００２６】
ＭＢＳプリミティブの前述の例は、ＭＢＳ−ｊｏｉｎ−ＲＥＱ（ＭＢＳＣからＭＢＳＡへ送信することができる）；  ＭＢＳ−ｊｏｉｎ−ＲＳＰ（ＭＢＳＡからＭＢＳＣへ送信することができる）；  ＭＢＳ−ｊｏｉｎ−ＣＮＦ（ＭＢＳＣからＭＢＳＡへ送信することができる）；  ＭＢＳ−ｌｅａｖｅ−ＲＥＱ（ＭＢＳＡからＭＢＳＣへ送信することができる）；  ＭＢＳ−ｌｅａｖｅ−ＲＳＰ（ＭＢＳＣからＭＢＳＡへ送信することができる）；  ＭＢＳ−ｍｏｄｉｆｙ−ＲＥＱ（ＭＢＳＣからＭＢＳＡへ送信することができ、逆も同様である）；  及びＭＢＳ−ｍｏｄｉｆｙ−ＲＳＰ（ＭＢＳＣからＢＳＡへ送信することができ、逆も同様である）。
【００２７】
ＭＢＳ制御経路についてＭＢＳＣ１１８によって行われるＭＢＳ動作は、ＭＢＳゾーンの作成、削除、及び／又は修正を含み得る。更に、ＭＢＳ動作の一部として、ＭＢＳＡは、移動局が加入するとＭＢＳゾーンに加入し得、移動局が離れるとＭＢＳゾーンを離れ得る。
【００２８】
図１を参照すれば、一部の実施例では、基地局１０４及び移動局１０２は、マルチキャリア通信チャネルを介して直交周波数分割多重（ＯＦＤＭ）通信信号を伝達することができる。マルチキャリア通信チャネルは、所定の周波数スペクトル内にあり得、複数の直交サブキャリアを含み得る。一部の実施例によれば、マルチキャリア信号は、密接に配置したＯＦＤＭサブキャリアによって規定することができる。一部の無線アクセス・ネットワークの実施例では、基地局１０４及び移動局１０２は、ＯＦＤＭなどの多元アクセス手法によって通信することができるが、本発明の範囲はこの点に限定されない。一部の実施例では、無線アクセス・ネットワーク１００は、ワイマックス（ＷｉＭａｘ）などの広帯域無線アクセス（ＢＷＡ）ネットワークを含み得るが、本発明の範囲はこの点に限定されない。
【００２９】
一部の実施例では、移動局１０２は、ポータブル無線通信装置（無線で情報を送受信することができる、携帯情報端末（ＰＤＡ）、無線通信機能を備えたラップトップやポータブル・コンピュータ、ウェブ・タブレット、無線電話機、無線ヘッドセット、ページャ、インスタント・メッセージ装置、ディジタル・カメラ。アクセス・ポイント、テレビ受像機、医療装置（例えば、心拍モニタ、血圧モニタ等）や他の装置）の一部であり得る。
【００３０】
一部の実施例では、基地局１０４と移動局１０２との間の通信信号の周波数スペクトルは、２ＧＨｚと１１ＧＨｚとの間の周波数を含み得るが、本発明の範囲はこの点で限定されない。
【００３１】
マルチキャスト接続識別子（ＭＣＩＤ）は、媒体アクセス制御（ＭＡＣ）層への接続を一意に識別する。ＭＣＩＤの割り当ては、ＡＳＮ又はＣＳＮから生じ得る。一実施例では、ＭＣＩＤは、ＣＳＮ１１０におけるＭＢＳサーバ１１３からＭＳに割り当てられ、プッシュされ得る。別の実施例では、ＭＣＩＤは、ＭＢＳコントローラ１１８によって割り当てられ、ＭＢＳサーバを介してＭＳにプッシュされ得る。更に別の実施例では、ＭＣＩＤは、ＭＢＳコントローラ１１８から直接ＭＳに割り当て、プッシュすることができる。
【００３２】
ＭＣＩＤが、ＣＳＮ１１０におけるＭＢＳサーバ１１３からＭＳに割り当てられ、プッシュされた状態から始め、図２を参照すれば、ＭＣＩＤは、ＭＳとＭＢＳサーバ１１３との間のハイパーテキスト転送プロトコル（ＨＴＴＰ）の一部として５１２でＭＢＳサーバ１１３からＭＳ１０２に送出される。
【００３３】
ＭＳ１０２は５００でＢＳ１０４とのデータＭＣＩＤを確立する。ＭＳは、５０２で、現在「実行中の」セッションを例えば、ハイパーテキスト転送プロトコルを使用してブラウジングし、それがＭＢＳチャネルに加入する旨の選好を示す。アクセス要求５０４は、ＭＢＳサーバ／プロキシＩＧＭＰクライアント１１３と、ビジタ・ポリシ機能／認証、認可、アカウンティング・サーバ（Ｖ−ＰＰ／ＡＡＡ）４１１との間で生じる。ビジタＰＦ／ＡＡＡは、移動している際にＭＳによって使用されるＡＡＡであり、これは、通常、ホーム・ポリシ機能（ＰＦ）／ＡＡＡと異なる。要求は、５０６において、ホーム・ポリシ関数／認証、認可、アカウンティング・サーバ（Ｈ−ＰＦ／ＡＡＡ）４１３に転送される。
【００３４】
サービス品質パラメータ及びアクセス受入は、５０８及び５１０でＭＢＳサーバ１１３に返される。次いで、ＭＳは５１２でゾーンにおけるＭＢＳチャネル及び関連したＣＩＤをダウンロードする。よって、ＩＧＭＰルータ１１８の第１のホップでは、ＭＢＳコンテンツは、５１４に示すようなＩＰマルチキャスト・アドレス上でサーバ１１３に送出される。次いで、コンテンツは、５１６で、ＩＰマルチキャスト・アドレス上でＭＢＳエージェント／基地局に送出され、最後に、ＭＢＳコンテンツは５１８で示すようなＭＳにマルチキャストＣＩＤ上で送出される。
【００３５】
第２のシナリオでは、ＭＣＩＤがＭＢＳコントローラによって割り当てられ、ＭＳにＭＢＳサーバを介してプッシュされ、もう一度図２を参照すれば、ＭＣＩＤは、５１２でＭＢＳサーバからＭＳに、ＭＳとＭＢＳサーバとの間で続くハイパーテキスト転送プロトコル・セッションの一部として送出される。しかし、ＭＢＳコントローラ１１８はＭＣＩＤ割り当てを実行し、割り当てられたＣＩＤを、ＭＣＩＤの割り当て直後に、ＭＢＳサーバに転送する。ＭＣＩＤがＭＢＳサーバによって受信されると、ＭＢＳサーバはそれを記憶し、ＭＳに転送する。ＭＢＳコントローラ１１８は、周期的に、又は変更時にのみ、ＭＢＳサーバにおけるＭＣＩＤ割り当てを更新することができる。
【００３６】
最後に、ＭＣＩＤが、ＭＢＳコントローラから直接、ＭＳに割り当てられ、プッシュされる第３のケースでは、フローを図３に示す。ＭＳは６００で、ＢＳとデータＭＣＳＤを確立する。ＭＳは、６０２で、現在「実行中の」セッションをブラウジングし、そのチャネル選好を示す。アクセス要求６０４がＭＢＳサーバ１１３からＶ−ＰＦ／ＡＡＡ４１１に転送される。Ｖ−ＰＦ／ＡＡＡ４１３は要求をＨ−ＰＦ．ＡＡＡ４１３に転送する。アクセス受入及びＱＯＳパラメータ６０８はＶ−ＰＦ／ＡＡＡ４１１に戻され、次いで６１０で、ＭＢＳサーバ１１３を介して、６１２で、ＭＢＳコントローラ１１８又はＡＳＮ１２０に転送される。ＭＣＩＤは、媒体アクセス制御メッセージ動的サービス追加要求メッセージ（ＤＳＡ−ＲＥＱ）６１８及び動的サービス追加応答メッセージ（ＤＳＡ−ＲＳＰ）６１６を使用してＭＢＳコントローラ１１８からＭＳに割り当てられ、送出される。ＭＢＳコントローラ１１８がＣＩＤをＭＳに送出するトリガは、ＭＢＳサービスについてユーザが認証され、認可されている旨の、ＭＢＳサーバ１１３からＭＢＳコントローラ１１８への「アクセス受入」６１２又は同様なメッセージからである。ＭＢＳコントローラ１１８は、無線リソース応答６１４を基地局ＭＢＳエージェント１１４に送出する。
【００３７】
同じ処理は、加入ユーザ全てに対する静的な定額制ブロードキャスト・サービス、及びマルチキャスト群における特定のユーザ群への動的マルチキャストに使用することができる。各マルチキャストＣＩＤは、複数のＭＢＳコンテンツ識別子サービス・タイプ長タイプ値（ＴＬＶ）（各コンテンツＩＤＴＬＶは、例えば、ビデオ・チャネル又はＴＶチャネルのような論理媒体制御ＩＤにマップする）を含み得る。
【００３８】
ＭＢＳコンテンツＩＤ  ＴＬＶは、ビデオ／ＭＢＳストリームのアプリケーション・レベル特徴付けであるので、ＭＢＳサーバによって割り当てられる。ＭＢＳサーバによって割り当てられると、その場合、ＭＣＩＤがＭＢＳサーバからＭＳに割り当てられ、プッシュされるか、又はＭＢＳコントローラによって割り当てられ、ＭＢＳサーバを介してメッシュされる場合、ＭＢＳサーバはＭＢＳコンテンツを、マルチキャストＣＩＤとともに、図２の工程５０２の一部としてＭＳに送出する。ＭＣＩＤは、ＭＢＳコントローラから直接、ＭＳに割り当てられ、プッシュされる場合、ＭＢＳサーバは、ＭＢＳコンテンツのＴＬＶをＭＢＳコントローラに、ＴＬＶが新たに作成／変更される都度、又はＭＳがＭＢＳサービスに加入する都度、送出する。ＭＢＳコントローラは今度は、図３に示すように、ＭＳへのＤＳＡ―ＲＳＰメッセージ６１６上のコンテンツＩＤのＴＬＶを含む、基地局への下流無線リソース応答（ＲＲ−ＲＳＰ）メッセージ６１４を含む。
【００３９】
ＭＢＳコンテンツは、６２２においてＩＰマルチキャスト・アドレス上でＭＢＳサーバ１１３に送出することができる。サーバから、コンテンツは６２４で、ＩＰマルチキャスト・アドレス上でＭＢＳエージェント１１４に送出される。最後に、コンテンツは、基地局１０４からマルチキャストＣＩＤ６２６上でＭＳ１０２に達する。
【００４０】
ＭＳは、マルチキャストＣＩＤ内のＭＢＳ論理媒体チャネルのＩＤを含むコンテンツＩＤ及びＭＣＩＤのＴＬＶを得る。複数のＢＳ  ＭＢＳの場合、各ＭＢＳゾーンは、時間及び周波数において同じコンテンツの伝送を同期化させる複数のＢＳを含む。前述のシナリオでは、ＭＳは、アップリンクでネットワークと相互作用することなく、アイドル・モード及び非アイドル・モードで、ＭＢＳチャネルを切り換えるとともに、ＭＢＳゾーン内で自由に移動し、ＭＢＳ伝送にリッスンすることができる。
【００４１】
一実施例では、一マルチキャストＣＩＤのみをＭＢＳゾーン毎に使用することができる。
マルチキャストCID内の論理媒体チャネルを含むこのマルチキャストＣＩＤ及び関連付けられたＭＢＳコンテンツのＩＤのＴＬＶは、ＭＳがゾーン内のＭＢＳ伝送に加入するとＭＳに利用可能にされる。ＭＢＳコンテンツＩＤの一部である各論理媒体チャネルＩＤは、一実施例では、長さ８ビットであり得、これは、マルチキャストＣＩＤがＭＢＳゾーン内に２５６ＭＢＳチャネルを収容することが可能である旨を意味している。ＭＳは、ＭＢＳゾーンの論理媒体チャネルＩＤ全てを有するので、アイドル（低電力消費）モードであるか又は非アイドル・モードであるかにかかわらず、チャネルを容易に切り換えることが可能である。ゾーン内で同じマルチキャストＣＩＤを使用することにより、非ＳＦＮネットワークにおけるＭＢＳ送信とのＭＳの再同期化の処理を迅速化させることもできる。
【００４２】
本発明の一部の実施例は、ハードウェア、ファームウェア及びソフトウェアの１つ又は組合せで実現することができる。本発明の一部の実施例は、本明細書及び特許請求の範囲記載の動作を行うために少なくとも１つのプロセッサによって読み取られ、実行され得る、マシン読み取り可能な媒体上に記憶された命令として実現することもできる。マシン読み取り可能な媒体は、マシン（例えば、コンピュータ）によって読み取り可能な形態で情報を記憶又は伝送するための何れかの機構を含み得る。例えば、マシン読み取り可能な媒体は、リードオンリー・メモリ（ＲＯＭ）、ランダムアクセス・メモリ（ＲＡＭ）、磁気ディスク記憶媒体、光記憶媒体、フラッシュメモリ装置、電気、光、音響又は他の形式の伝搬信号（例えば、搬送波、赤外信号、ディジタル信号等）などを含み得る。
【００４３】
上述の詳細な説明では、種々の特徴は時折、本開示を簡略化する目的で単一の実施例に集約されている。本願開示の方法は、各請求項に明示された特徴よりも多くの特徴を本願の請求項記載の実施例を必要とする旨の意図を反映するものと解されるべきでない。むしろ、特許請求の範囲が反映するように、本発明は、開示された単一の実施例の特徴全てよりも少ない実施例に存在し得る。よって、特許請求の範囲は、詳細な説明に組み入れられ、各請求項は別個の好ましい実施例である。
【図１】
2010524401.tif 000003
【図２】
2010524401.tif 000004
【図３】
2010524401.tif 000005
【国際調査報告】
2010524401.tif 000006
2010524401.tif 000007